(57)【要約】 【課題】   ポール本体（１）を壁面部に取り付ける事で固定され、ヘアードライヤーを必要位置に容易に移動、固定、回転させる事の出来るヘアードライヤー用スライド式壁掛具を提供する。【解決手段】ポール本体（１）に上下移動、回転、固定機能を備えた移動台（２）を設けヘアードライヤーを移動し離す事によりヘアードライヤー本体の重さにより自然に固定出来、又、移動台（２）をポール本体（１）に垂直に戻す事で容易に上下移動が出来、固定の為の新たな部品等も必要なくヘアードライヤーをドライヤーセット台より簡単に取り外し片手使用と固定による使用が出来るシンプル構造と機能を特徴とする。【選択図】図１０
2010029356.tif 000002
【特許請求の範囲】
【請求項１】
ヘアードライヤー用スライド式壁掛具に於いて本体をポール本体（１）としポール本体（１）にて上下移動機能を果たす金属、若しくは樹脂成型で成る移動台（２）を設け、移動台（２）にポール本体（１）の外径寸法より１、５mm〜２mm大きく内径寸法を有したポール取り付け穴部（３）を設け、又一片面の上下にドライヤー台金具取り付け穴部（７）とドライヤー持ち手部金具取り付け穴部（８）にセッティングしポール本体（１）に取り付け移動台（２）を手動にて上下する事で必要な位置での使用が容易に得られ手を離す事によってドライヤー自体の重さと同時に移動台（２）に有したポール取り付け穴部（３）の内径寸法をポール本体（１）の外径寸法より大きくした事によって傾斜する為自然固定し、又再度移動する際も移動台（２）をポール本体（１）に垂直に上下移動する事で容易に行え、移動台（２）を固定するための必要部品等も有する事なく単純、且つシンプルな構造にて成るヘアードライヤー用スライド式壁掛具。
【発明の詳細な説明】
【技術分野】
【０００１】
本発明はヘアードライヤー用スライド式壁掛具に関するものである。
【背景技術】
【０００２】
従来のヘアードライヤーは一般的に金具フック等で掛ける事が多く、スタンド式、又はケース一体式壁掛用ドライヤー等があった。
【０００３】
以下、従来のヘアードライヤー壁掛具についての文献を参照する。
【特許文献１】実開  昭和６２−１４６４０４
【特許文献２】実開  昭和６３−１２３２０７
【特許文献３】特開  ２００２−０２８０２４
【特許文献４】特開  ２００５−３２３６２１
【発明の開示】
【発明が解決しようとする課題】
【０００４】
以上に述べた従来のヘアードライヤーは両手が使用出来なかったり、スタンドが倒れたり邪魔になったり、壁掛用であっても使用しづらかったり外れたり又ケース付きドライヤーに於いては故障した際、他のメーカーのドライヤーではケースに合わず又、同じメーカーでも配線を新たにする必要があった。
【０００５】
本発明はこのような従来の構成が有していた問題を解決しようとするものでありヘアードライヤーの使用状況によって対応できる便利なヘアードライヤー用スライド式壁掛け具を目的とするものである。
【課題を解決するための手段】
【０００６】
本発明は上記の目的を達成する為にポール本体（１）を手動にて上下移動させる為の金属、若しくは樹脂成型で成る移動台（２）を設けた。
【０００７】
移動台（２）に構成されたポール本体（１）に取り付ける為の穴をポール本体（１）の外径寸法より1、５ｍｍ〜２mm大きく内径寸法を有したポール取り付け穴部（３）を設けた。
【０００８】
ポール取り付け穴部（３）に一定の巾の縦溝であるゴム状板用溝部（５）を設けゴム状板（４）を取り付けた。
【０００９】
そして移動台（２）の一片側にドライヤー台金具取り付け穴部（７）とドライヤー持ち手部金具取り付け穴部（８）の２つの穴を設けた。
【００１０】
ポール本体（１）に移動台（２）を取り付けドライヤー本体をセッティングする為金属棒にて加工されたドライヤーセット台金具（９）とドライヤー持ち手部固定金具（１０）をそれぞれドライヤー台金具取り付け穴部（８）に取り付けた。
【００１１】
又、ドライヤーセット台金具（９）とドライヤー持ち手部固定金具（１０）の取り付け部に取り付け固定爪部（１１）を設けた。
【００１２】
そして移動台（２）に取り付けたドライヤーセット台金具（９）とドライヤー持ち手部固定金具（１０）をもってポール本体（１）に取り付け壁面取り付け具（１２）をもって壁面に取り付け固定する。
【００１３】
ポール本体（１）に於いてセッティングされた移動台（２）を手動にて上下スライド移動する事で必要な位置を得る事が出来、手を離す事でドライヤー本体の重さと移動台（２）に構成されたポール取り付け穴部（３）の内径の大きさとゴム状板（４）によって自然固定し、更に移動する際には移動台（２）をポール本体（１）に対して垂直にする事でスムーズに移動する事が出来、固定する為の新たな部品等も必要ない。
【発明の効果】
【００１４】
上述したように本発明のヘアードライヤー用スライド式壁掛具はヘアードライヤーを自由に上下する事によって必要とされる位置で固定し使用出来る為、両手が自由に使える事でスピーディーなヘアーセットを提供出来る。
【００１５】
又、壁に固定出来る事で洗面台に置く事なく一定の場所に整理出来、右壁面、左壁面に対してもドライヤーセット台金具（９）とドライヤー持ち手部固定金具（１０）を容易に外し替える事が出来、又180度回転も可能である。
【発明を実施するための最良の形態】
【００１６】
以下、本発明の実施の形態を図７、図８、図９、図１０に基づいて説明する。
図に於いて一定の長さのポール本体をポール本体（１）とし、ポール本体（１）の両端の壁面部に取り付ける為の部品である壁面取り付け具（１２）をもって取り付ける事が出来る。
【００１７】
ポール本体（１）に於いてヘアードライヤーを手動で上下スライドさせる為の本体を金属若しくは樹脂成型で成る台を設け移動台（２）とし、移動台（２）の半円状の中心にポール本体（１）の外径寸法より1、５mm〜２mm大きく内径寸法を有した穴であるポール取り付け穴部（３）を構成した。
【００１８】
そして、ポール取り付け穴部（３）に一定巾の縦長溝で成るゴム状板用溝部（５）を構成した。
【００１９】
更にポール取り付け穴部（３）の一片に半円状で成る縦長の凸部を構成し、回転用簡易ロック凸部（６）とした。
【００２０】
又、移動台（２）の本体一片側にヘアードライヤーをセッティングする為に必要な取り付け穴であるドライヤー台金具取り付け穴部（９）とドライヤー持ち手部金具取り付け穴部（１０）の２つの穴を設けた。
【００２１】
ドライヤー本体をセットする為の台として金属棒で加工されたドライヤーセット台金具（９）と更にドライヤー持ち手部を固定させる為のドライヤー持ち手部固定金具（１０）をも設けた。
【００２２】
ドライヤーセット台金具（９）とドライヤー持ち手部固定金具（１０）の各取り付け部分に取り付け固定爪部（１１）を構成する事で固定し壁面取り付け状況によって左壁面取り付け用と右壁面取り付け用に変える事が出来る。
【００２３】
移動台（２）に構成したゴム状板用溝部（５）にゴム状板（４）をスベリ止め機能として取り付けた。
【００２４】
以下、上記構成の動作を説明する。ポール本体（１）に移動台（２）を取り付けた状態で壁面取り付け具（１２）によって固定され移動台（２）に有したドライヤーセット台金具（９）とドライヤー持ち手部固定金具（１０）にセッティングされたドライヤーを使用時に上下スライド移動させ手を離す事によってドライヤー本体の重さとポール取り付け穴部（３）の内径とポール本体（１）の外径より大きい為、斜めに比重がかかる事でゴム状板（４）が接し、滑らず固定し、又移動時には移動台（２）をポール本体（１）に垂直にスライドさせる事で新たな固定部品等必要としないシンプルな構造、機能を発揮する事が出来る。
【００２５】
ポール本体（１）の外仕上げを一定巾の山状形に構成する事で移動台（２）に有した回転用簡易ロック凸部（６）によって簡易ロックの役割を果たす事が出来る。
【００２６】
更に、どのメーカーのヘアードライヤーにも適応出来るようドライヤーセット台金具（９）とドライヤー持ち手部固定金具（１０）の形状を容易に調整出来るよう２つのパーツにて構成した。  
【図面の簡単な説明】
【００２７】
【図１】本発明の平面図である。
【図２】本発明の正面図である。
【図３】本発明の底面図である。
【図４】本発明の左側面図である。
【図５】本発明のポール本体の断面図である。
【図６】本発明の右側面図である。
【図７】本発明の移動台とセット台取り付け時の平面図である。
【図８】本発明の移動台とセット台部分断面図である。
【図９】本発明の移動台右側面図である。
【図１０】本発明の作動説明斜視図である。
【符号の説明】
【００２８】
１  ポール本体
２  移動台
３  ポール取り付け穴部
４  ゴム状板
５  ゴム状板用溝部
６  回転用簡易ロック凸部
７  ドライヤー台金具取り付け穴部
８  ドライヤー持ち手部金具取り付け穴部
９  ドライヤーセット台金具
１０  ドライヤー持ち手部固定金具
１１  取り付け固定爪部
１２  壁面取り付け具
【図１】
2010029356.tif 000003
【図２】
2010029356.tif 000004
【図３】
2010029356.tif 000005
【図４】
2010029356.tif 000006
【図５】
2010029356.tif 000007
【図６】
2010029356.tif 000008
【図７】
2010029356.tif 000009
【図８】
2010029356.tif 000010
【図９】
2010029356.tif 000011
【図１０】
2010029356.tif 000012